(57)【要約】【課題】商品販売力、資金、製造ノウハウをすべて考慮にいれた事業提携を促すことにより、アイデアの事業化を支援する事業化支援方法を提供する。【解決手段】アイデア情報データベースのアイデア情報を、商品販売者の販売者端末３において閲覧可能としてアイデア保有者と商品販売者とのマッチングを行う第１マッチング処理を行うステップと、上記第１マッチング処理が行われたアイデア情報を、資金提供者端末４において閲覧可能としてアイデア保有者と商品販売者と資金提供者のマッチングを行う第２マッチング処理を行うステップと、上記第２マッチング処理が行われたアイデア情報を、商品製造者の製造者端末５において閲覧可能として上記アイデア保有者と商品販売者と資金提供者と商品製造者とのマッチングを行う第３マッチング処理を行うステップとを実行することによりアイデアの事業化を支援する。【選択図】図２
2006277494.tif 000002
【特許請求の範囲】
【請求項１】
通信回線を介して商品に関するアイデア保有者と商品販売者と資金提供者と商品製造者との事業提携を仲介してマッチングすることによりアイデアの事業化を支援する事業化支援方法であって、
アイデア保有者の保有者端末に入力されたアイデア情報を受信してアイデア情報データベースに格納するステップと、
上記アイデア情報データベースのアイデア情報を、商品販売者の販売者端末において閲覧可能とすることにより、アイデア保有者と商品販売者との交渉を促し、上記アイデア保有者と商品販売者とのマッチングを行う第１マッチング処理を行うステップと、
上記第１マッチング処理が行われたアイデア情報を、資金提供者の提供者端末において閲覧可能とすることにより、アイデア保有者と商品販売者と資金提供者との交渉を促し、上記アイデア保有者と商品販売者と資金提供者のマッチングを行う第２マッチング処理を行うステップと、
上記第２マッチング処理が行われたアイデア情報を、商品製造者の製造者端末において閲覧可能とすることにより、アイデア保有者と商品販売者と資金提供者と商品製造者の交渉を促し、上記アイデア保有者と商品販売者と資金提供者と商品製造者とのマッチングを行う第３マッチング処理を行うステップとをコンピュータ装置により実行することを特徴とする事業化支援方法。
【請求項２】
通信回線を介して商品に関するアイデア保有者と商品販売者と資金提供者と商品製造者との事業提携を仲介してマッチングすることによりアイデアの事業化を支援する事業化支援システムであって、
アイデア保有者の保有者端末に入力されたアイデア情報を受信して格納するアイデア情報データベースと、
上記アイデア情報データベースのアイデア情報を、商品販売者の販売者端末において閲覧可能とすることにより、アイデア保有者と商品販売者との交渉を促し、上記アイデア保有者と商品販売者とのマッチングを行う第１マッチング処理を行うステップと、
上記第１マッチング処理が行われたアイデア情報を、資金提供者の提供者端末において閲覧可能とすることにより、アイデア保有者と商品販売者と資金提供者との交渉を促し、上記アイデア保有者と商品販売者と資金提供者のマッチングを行う第２マッチング処理を行うステップと、
上記第２マッチング処理が行われたアイデア情報を、商品製造者の製造者端末において閲覧可能とすることにより、アイデア保有者と商品販売者と資金提供者と商品製造者の交渉を促し、上記アイデア保有者と商品販売者と資金提供者と商品製造者とのマッチングを行う第３マッチング処理を行うステップとを実行するマッチング処理手段とを備えたことを特徴とする事業化支援システム。
【請求項３】
通信回線を介して商品に関するアイデア保有者と商品販売者と資金提供者と商品製造者との事業提携を仲介してマッチングすることによりアイデアの事業化を支援する事業化支援プログラムであって、
アイデア保有者の保有者端末に入力されたアイデア情報を受信してアイデア情報データベースに格納するステップと、
上記アイデア情報データベースのアイデア情報を、商品販売者の販売者端末において閲覧可能とすることにより、アイデア保有者と商品販売者との交渉を促し、上記アイデア保有者と商品販売者とのマッチングを行う第１マッチング処理を行うステップと、
上記第１マッチング処理が行われたアイデア情報を、資金提供者の提供者端末において閲覧可能とすることにより、アイデア保有者と商品販売者と資金提供者との交渉を促し、上記アイデア保有者と商品販売者と資金提供者のマッチングを行う第２マッチング処理を行うステップと、
上記第２マッチング処理が行われたアイデア情報を、商品製造者の製造者端末において閲覧可能とすることにより、アイデア保有者と商品販売者と資金提供者と商品製造者の交渉を促し、上記アイデア保有者と商品販売者と資金提供者と商品製造者とのマッチングを行う第３マッチング処理を行うステップとをコンピュータ装置に実行させることを特徴とする事業化支援システム。
【発明の詳細な説明】
【技術分野】
【０００１】
本発明は、商品化のアイデアを保有しているアイデア保有者と商品販売者と資金提供者と商品製造者との事業提携を仲介してマッチングすることにより上記アイデアの事業化を支援する事業化支援方法およびシステムならびにプログラムに関するものである。
【背景技術】
【０００２】
従来から、実施化を希望するアイデアを広く募り、これらを公開して実施希望者との間を仲介等するシステムがいくつも提案されてきた（下記の特許文献１〜３）。
【特許文献１】特開２００１−２０９６８４号
【特許文献２】特開２００３−０８５３２０号
【特許文献３】特開２００１−３０６７８２号
【発明の開示】
【発明が解決しようとする課題】
【０００３】
しかしながら、上記特許文献１のシステムは、単にアイデアを公開して実施希望者との間を仲介するものに過ぎず、実施化にあたって本来必要な実施商品の販売力や資金に対する考慮がなされていない。このため、当該システムの仲介で商品ができたとしても、結局その商品は売れなかったという問題が生じるおそれが多分にあり、現実問題としてアイデアの事業化には至らないケースがほとんどである。
【０００４】
また、上記特許文献２のシステムは、特許出願人と投資家を仲介するものに過ぎず、実施化にあたって本来必要な実施商品の販売力や製造ノウハウ等に対する考慮がなされていない。このため、当該システムの仲介で資金提供者が現れたとしても、コストメリットのある量産に至らずに商品化できなかったり、商品ができたとしても、結局その商品は売れなかったという問題が生じるおそれが多分にあり、現実問題としてアイデアの事業化には至らないケースがほとんどである。
【０００５】
また、上記特許文献３のシステムは、アイデアの事業化にあたって、専門家の意見を聴けるようにして事業計画を策定するシステムに過ぎず、アイデアの実現に本来必要な、販売力や資金等の資源を有する事業化の提携を促しうるものではない。
【０００６】
このように、従来のシステムは、いずれも、アイデアの実現に必要不可欠な商品販売力、資金、製造ノウハウをすべて考慮にいれた事業提携を促すものではないため、仲介が成立したとしても、現実問題としてアイデアの商品化には至らないケースがほとんどであり、システムとして有効に稼動していないのが実情である。
【０００７】
本発明は、このような事情に鑑みなされたもので、アイデアの実現に必要不可欠な商品販売力、資金、製造ノウハウをすべて考慮にいれた事業提携を促すことにより、アイデアの事業化を支援する事業化支援方法およびシステムならびにプログラムの提供を目的とする。
【課題を解決するための手段】
【０００８】
上記目的を達成するため、本発明の事業化支援方法は、通信回線を介して商品に関するアイデア保有者と商品販売者と資金提供者と商品製造者との事業提携を仲介してマッチングすることによりアイデアの事業化を支援する事業化支援方法であって、アイデア保有者の保有者端末に入力されたアイデア情報を受信してアイデア情報データベースに格納するステップと、上記アイデア情報データベースのアイデア情報を、商品販売者の販売者端末において閲覧可能とすることにより、アイデア保有者と商品販売者との交渉を促し、上記アイデア保有者と商品販売者とのマッチングを行う第１マッチング処理を行うステップと、上記第１マッチング処理が行われたアイデア情報を、資金提供者の提供者端末において閲覧可能とすることにより、アイデア保有者と商品販売者と資金提供者との交渉を促し、上記アイデア保有者と商品販売者と資金提供者のマッチングを行う第２マッチング処理を行うステップと、上記第２マッチング処理が行われたアイデア情報を、商品製造者の製造者端末において閲覧可能とすることにより、アイデア保有者と商品販売者と資金提供者と商品製造者の交渉を促し、上記アイデア保有者と商品販売者と資金提供者と商品製造者とのマッチングを行う第３マッチング処理を行うステップとをコンピュータ装置により実行することを要旨とする。
【０００９】
また、本発明の事業化支援システムは、通信回線を介して商品に関するアイデア保有者と商品販売者と資金提供者と商品製造者との事業提携を仲介してマッチングすることによりアイデアの事業化を支援する事業化支援システムであって、アイデア保有者の保有者端末に入力されたアイデア情報を受信して格納するアイデア情報データベースと、上記アイデア情報データベースのアイデア情報を、商品販売者の販売者端末において閲覧可能とすることにより、アイデア保有者と商品販売者との交渉を促し、上記アイデア保有者と商品販売者とのマッチングを行う第１マッチング処理を行うステップと、上記第１マッチング処理が行われたアイデア情報を、資金提供者の提供者端末において閲覧可能とすることにより、アイデア保有者と商品販売者と資金提供者との交渉を促し、上記アイデア保有者と商品販売者と資金提供者のマッチングを行う第２マッチング処理を行うステップと、上記第２マッチング処理が行われたアイデア情報を、商品製造者の製造者端末において閲覧可能とすることにより、アイデア保有者と商品販売者と資金提供者と商品製造者の交渉を促し、上記アイデア保有者と商品販売者と資金提供者と商品製造者とのマッチングを行う第３マッチング処理を行うステップとを実行するマッチング処理手段とを備えたことを要旨とする。
【００１０】
また、本発明の事業化支援プログラムは、通信回線を介して商品に関するアイデア保有者と商品販売者と資金提供者と商品製造者との事業提携を仲介してマッチングすることによりアイデアの事業化を支援する事業化支援プログラムであって、アイデア保有者の保有者端末に入力されたアイデア情報を受信してアイデア情報データベースに格納するステップと、上記アイデア情報データベースのアイデア情報を、商品販売者の販売者端末において閲覧可能とすることにより、アイデア保有者と商品販売者との交渉を促し、上記アイデア保有者と商品販売者とのマッチングを行う第１マッチング処理を行うステップと、上記第１マッチング処理が行われたアイデア情報を、資金提供者の提供者端末において閲覧可能とすることにより、アイデア保有者と商品販売者と資金提供者との交渉を促し、上記アイデア保有者と商品販売者と資金提供者のマッチングを行う第２マッチング処理を行うステップと、上記第２マッチング処理が行われたアイデア情報を、商品製造者の製造者端末において閲覧可能とすることにより、アイデア保有者と商品販売者と資金提供者と商品製造者の交渉を促し、上記アイデア保有者と商品販売者と資金提供者と商品製造者とのマッチングを行う第３マッチング処理を行うステップとをコンピュータ装置に実行させることを要旨とする。
【発明の効果】
【００１１】
すなわち、本発明は、まず、上記アイデア情報データベースのアイデア情報を、商品販売者の販売者端末において閲覧可能とすることにより、アイデア保有者と商品販売者との交渉を促し、上記アイデア保有者と商品販売者とのマッチングを行う第１マッチング処理を行う。この第１のマッチングにより、アイデア保有者と、当該アイデアが商品化されたときの商品の販売者との事業提携が決定する。すなわち、資金提供者や製造者に先立って、まず商品の販売力と販売意欲のある販売者を決定することにより、商品化したときに商品が売れなくて困るという事態を避けることができ、事業化をスムーズに行うことができる。
【００１２】
ついで、上記第１マッチング処理が行われたアイデア情報を、資金提供者の提供者端末において閲覧可能とすることにより、アイデア保有者と商品販売者と資金提供者との交渉を促し、上記アイデア保有者と商品販売者と資金提供者のマッチングを行う第２マッチング処理を行う。この第２のマッチングにより、上記アイデア保有者および販売者に加え、資金提供者との事業提携が決定する。すなわち、製造者に先立って、まず商品の製造や宣伝に必要な資金を提供しその意欲のある資金提供者を決定することにより、商品化および事業化をスムーズにする。
【００１３】
つぎに、上記第２マッチング処理が行われたアイデア情報を、商品製造者の製造者端末において閲覧可能とすることにより、アイデア保有者と商品販売者と資金提供者と商品製造者の交渉を促し、上記アイデア保有者と商品販売者と資金提供者と商品製造者とのマッチングを行う第３マッチング処理を行う。この第３のマッチングにより、上記アイデア保有者、販売者および資金提供者に加え、製造者との事業提携が決定する。すなわち、販売者、資金提供者が決まり、事業化の目処がある程度たってから製造者との事業提携を行い、コストメリットのある量産を行う。これにより、コストの見合う商品を製造し、商品化と事業化をスムーズに実現することができるのである。
【００１４】
本発明において、上記第１マッチング処理は、アイデア保有者と商品販売者との交渉の結果、両者の事業提携が決定したときに、保有者端末と販売者端末の少なくともいずれかから当該決定に関する第１提携決定情報を受信して、当該事業提携に係るアイデア情報と関連付けて格納する処理を行うのが好ましい。
【００１５】
本発明において、上記第２マッチング処理は、アイデア保有者と商品販売者と資金提供者との交渉の結果、３者の事業提携が決定したときに、保有者端末、販売者端末、資金提供者端末の少なくともいずれかから当該決定に関する第２提携決定情報を受信して、当該事業提携に係るアイデア情報と関連付けて格納する処理を行うのが好ましい。
【００１６】
本発明において、上記第３マッチング処理は、アイデア保有者と商品販売者と資金提供者と商品製造者の交渉の結果、４者の事業提携が決定したときに、保有者端末、販売者端末、資金提供者端末、製造者端末の少なくともいずれかから当該決定に関する第３提携決定情報を受信して、当該事業提携に係るアイデア情報と関連付けて格納する処理を行うのが好ましい。
【発明を実施するための最良の形態】
【００１７】
つぎに、本発明の実施の形態を詳しく説明する。
【００１８】
図１は、本発明の一実施の形態の事業化支援システムを含むネットワーク構成を示す図である。１は本発明の事業化支援プログラムを実行して本発明の事業化支援方法を実現し、本発明の事業化支援システムとして機能するサーバ装置（コンピュータ装置）である。
【００１９】
上記サーバ装置１は、通信インターフェースや大容量データ記憶装置などを備えたシステムであり、中央処理装置６がハードディスク装置等の外部記憶装置７に記録されたプログラムを読み出し、そのプログラムに従ってデータ処理を実行することにより後に述べるような種々の機能を実現する。
【００２０】
上記サーバ装置１は、情報通信ネットワーク（本実施形態ではインターネット１１）に接続されている。このインターネット１１には、アイデア保有者が使用するアイデア保有者端末２、商品の販売者が使用する販売者端末３、資金の提供者が使用する資金提供者端末４、商品の製造者が使用する製造者端末５が接続されている。上記各端末装置は、例えばパソコン等のコンピュータ装置である。
【００２１】
上記サーバ装置１は、インターネット１１を介してアクセスしてきた各端末装置と、例えばＨＴＴＰ（HyperText Transfer Protocol）等のプロトコルに従ってデータ通信を行うことでＷＥＢ配信サーバーとして機能する。すなわち、サーバ装置１は、各端末装置からの要求に応じて、ＨＴＭＬ（HyperText Markup Language）等のデジタル文書記述言語により記述された文書や画像を含むデータを当該端末装置へ向けて送信する。これらの画面構成データや、そのテンプレートとなるデータは外部記憶装置７に記憶されている。
【００２２】
上記サーバ装置１には、固有のネットワークアドレス（ＵＲＬ）が与えられている。各ユーザ（アイデア提供者、販売者、資金提供者、製造者）は、それぞれの端末装置でこのＵＲＬを指定することにより、サーバ装置１へアクセスすることができ、上記ＨＴＭＬ（HyperText Markup Language）等のデジタル文書記述言語により記述された文書や画像を含むデータをホームページで閲覧しうるようになっている。また、当該ホームページにおいて、必要に応じて文書・画像等のデータを入力してサーバ装置１に対して送信し、意思決定情報を入力してサーバ装置１に対して送信するようになっている。これらの動作の詳細については後述する。
【００２３】
図１に示すように、サーバ装置１が備える外部記憶装置７には、アイデア情報データベース８、会員データベース９、マッチング案件データベース１０が構築されている。
【００２４】
上記会員データベース９は、ユーザであるアイデア提供者、販売者、資金提供者、製造者に関する会員情報を格納する。上記会員情報としては、例えば、氏名、住所、電話番号、ＦＡＸ番号、電子メールアドレス、ホームページＵＲＬ、ＩＤ、パスワード等を含む。また、当該会員がアイデア提供者であるか、販売者であるか、資金提供者であるか、製造者であるかの属性情報も含まれる。さらに、会員の年齢、経歴、実績等のプロフィール情報も含まれる。
【００２５】
上記アイデア情報データベース８は、アイデア保有者端末２から受信したアイデア情報を格納する。上記アイデア情報としては、例えば、アイデアのタイトル、アイデアの内容に係る詳細情報、図面や写真等の画像情報等を含むものである。上記アイデア情報は、入力したアイデア提供者の会員情報と関連付けられた状態で記憶されている。
【００２６】
上記マッチング案件データベース１０は、上記アイデア情報に関するアイデア保有者端末２と販売者端末３との間で第１マッチング処理が開始されたときに、当該アイデア情報と、当該第１マッチング処理に係るアイデア保有者および販売者の会員情報とを含むマッチング案件データを生成して格納する。当該マッチング案件データは、第１マッチング処理においてアイデア保有者端末２と販売者端末３から受信した各種のデータも含む。また、第１マッチング処理が終了して第２マッチング処理、第３マッチング処理と処理が進むにつれて第２・第３マッチング処理に関する情報も追加される。
【００２７】
上記中央処理装置６は、本発明のマッチング処理手段として機能し、上記アイデア情報データベース８のアイデア情報を、販売者端末３において閲覧可能とすることにより、アイデア保有者と商品販売者との交渉を促し、上記アイデア保有者と商品販売者とのマッチングを行う第１マッチング処理を行うステップと、上記第１マッチング処理が行われたアイデア情報を、資金提供者端末４において閲覧可能とすることにより、アイデア保有者と商品販売者と資金提供者との交渉を促し、上記アイデア保有者と商品販売者と資金提供者のマッチングを行う第２マッチング処理を行うステップと、上記第２マッチング処理が行われたアイデア情報を、製造者端末５において閲覧可能とすることにより、アイデア保有者と商品販売者と資金提供者と商品製造者の交渉を促し、上記アイデア保有者と商品販売者と資金提供者と商品製造者とのマッチングを行う第３マッチング処理を行うステップとを実行する。
【００２８】
また、上記中央処理装置６は、各端末装置との通信、ホームページデータの送信、会員認証等を含む後述する動作を実行する。
【００２９】
つぎに、上記サーバ装置１の動作について説明する。
【００３０】
図２は、上記サーバ装置１と、アイデア保有者端末２、販売者端末３、資金提供者端末４、製造者端末５がそれぞれ通信することにより、アイデア情報の格納処理および公開処理と、第１マッチング処理、第２マッチング処理、第３マッチング処理が行われて本発明の事業化支援方法が実現される状態を示したフローチャートである。また、図３〜図１６は、上記アイデア情報の格納処理、アイデア情報の公開処理、第１〜第３マッチング処理の際に、アイデア保有者端末２、販売者端末３、資金提供者端末４、製造者端末５の端末装置に表示されるホームページの画面構成を示す図である。
【００３１】
ここで、アイデア保有者端末２、販売者端末３、資金提供者端末４、製造者端末５からサーバ装置１へのアクセスがあると、これに応答して、サーバ装置１は、会員ＩＤおよびパスワードの入力欄を含む会員認証画面を各端末装置に送信し、各端末装置ではブラウザ画面で当該認証画面を表示させる。この会員認証画面で会員ＩＤおよびパスワードが入力されると、サーバ装置１の中央処理装置６では入力された会員ＩＤおよびパスワードが会員データベース９に格納された情報と対比して正当であることを確認したうえで、初期メニュー画面の画面構成データを各端末装置へ送信する。
【００３２】
まず、アイデア情報の格納処理を行う。
【００３３】
図３は、アイデア情報入力画面の一例を示す。アイデア保有者端末２をサーバ装置１に接続し、会員認証後にアイデア保有者端末２に表示される初期メニュー画面において、アイデア情報入力画面へのリンクにマウスポインタを合わせてクリックすることにより、このアイデア情報入力画面が表示される。
【００３４】
このアイデア情報入力画面は、氏名入力欄１５、ＩＤ入力欄１６、パスワード入力欄１７、タイトル入力欄１８、詳細情報入力欄１９、画像入力欄２０、送信ボタン３０がテンプレートに嵌め込まれて表示されている。
【００３５】
上記氏名入力欄１５、ＩＤ入力欄１６、パスワード入力欄１７には、それぞれアイデア保有者の会員情報である氏名、ＩＤ、パスワードが入力される。タイトル入力欄１８には、アイデア保有者が事業化を希望する商品のアイデアのタイトルが入力される。詳細情報入力欄１９には、当該アイデアの内容の詳細情報が文書データとして入力される。画像入力欄２０には、当該アイデアに関する図面や写真等の画像データが指定される。すなわち、アイデア保有者端末２の外部記憶装置に記憶された画像データの格納場所とファイル名に関する情報が入力される。
【００３６】
上記氏名入力欄１５、ＩＤ入力欄１６、パスワード入力欄１７、タイトル入力欄１８、詳細情報入力欄１９、画像入力欄２０に必要な情報を入力し、送信ボタン３０にマウスポインタを合わせてクリックすることにより、上記入力された情報および画像データがサーバ装置１に対して送信される（Ｓ１）。
【００３７】
アイデア保有者端末２から送信されたアイデア情報は、サーバ装置１で受信されてアイデア情報データベース８に格納される（Ｓ２）。このとき、アイデア情報は、当該アイデア情報を送信したアイデア保有者の会員情報を関連付ける関連付けデータとともに格納される。また、氏名入力欄１５、ＩＤ入力欄１６、パスワード入力欄１７に入力された会員情報を会員データベース９の会員情報と対比して、当該会員の属性情報がアイデア保有者でなかった場合は、サーバ装置１はエラーメッセージ画面を送信してアイデア保有者端末２に表示させる。
【００３８】
アイデア情報がアイデア情報データベース８に格納されると、当該アイデア情報とそれに関連付けられた会員情報が公開される（Ｓ３）。
【００３９】
図４は、アイデア情報の閲覧画面の一例を示す。この閲覧画面には、アイデアのタイトル２１、詳細情報２２、画像２３、アイデア保有者情報２４、交渉するボタン２８がテンプレートに嵌め込まれて表示されている。上記タイトル２１、詳細情報２２、画像２３は、上記アイデア情報入力画面でアイデア保有者端末２において入力され、サーバ装置１のアイデア情報データベース８に格納されたデータが表示されている。また、アイデア保有者情報２４は、当該アイデア情報と関連付けられた会員情報のうち公開可能な情報がプロフィールとして表示されている。これにより、業務提携しようとする販売者、資金提供者、製造者はプロフィールを参照して提携するか否かの判断材料とすることができる。
【００４０】
このように、サーバ装置１に接続された販売者端末３に上記閲覧画面を表示させ、販売者の閲覧に供することが行われ、第１マッチング処理が開始される（Ｓ４）。
【００４１】
この第１マッチング処理は、上記アイデア情報データベース８のアイデア情報を、販売者端末３において閲覧可能とし（Ｓ４）、サーバ装置１を介してアイデア保有者端末２と販売者端末３との通信によりアイデア保有者と商品販売者との交渉を可能とし（Ｓ５）、上記アイデア保有者と商品販売者とのマッチングを行う。
【００４２】
具体的には、上記第１マッチング処理は、サーバ装置１を介したアイデア保有者端末２と販売者端末３との通信によるアイデア保有者と商品販売者との交渉の結果、両者の事業提携が決定したときに、アイデア保有者端末２と販売者端末３の少なくともいずれかから当該決定に関する第１提携決定情報を受信し、マッチング案件データとして当該事業提携に係るアイデア情報と関連付けて格納する処理を行う（Ｓ６）。以下詳しく説明する。
【００４３】
すなわち、販売者端末３をサーバ装置１に接続し、会員認証後に販売者端末３に表示される初期メニュー画面において、アイデア情報閲覧画面へのリンクにマウスポインタを合わせてクリックすることにより、上記閲覧画面が表示される。
【００４４】
この段階では、販売者のみがアイデア保有者と業務提携の交渉を行え、資金提供者、製造者は交渉できないようになっており、交渉するボタン２８の横には「販売者のみ交渉できます」と表示されている。なお、この段階でも、アイデア保有者端末２、資金提供者端末４や製造者端末５によるアイデア情報の閲覧が制限されるわけではなく、アイデア保有者端末２、資金提供者端末４や製造者端末５をサーバ装置１に接続することにより、上記閲覧画面が端末装置に表示される。このようにすることにより、資金提供者や製造者も早い段階からアイデア情報を閲覧して業務提携の検討を行うことができる。
【００４５】
そして、販売者端末３に表示された上記閲覧画面において、交渉するボタン２８にマウスポインタを合わせてクリックすることにより、交渉申し込み画面が表示される。
【００４６】
図５は、上記交渉するボタン２８のクリックにより販売者端末３に表示される交渉申し込み画面である。
【００４７】
この交渉申し込み画面は、アイデアのタイトル２１、アイデア保有者情報２４が表示され、交渉を申し込もうとする販売者が入力するためのＩＤ入力欄１６、パスワード入力欄１６が表示されている。また、申し込みボタン２９が表示されている。販売者が販売者端末３上で、アイデアのタイトル２１、アイデア保有者情報２４の表示を確認し、ＩＤ入力欄１６、パスワード入力欄１６にそれぞれＩＤとパスワードを入力して申し込みボタン２９をクリックすることにより、上記入力されたＩＤ、パスワードが当該アイデア情報と関連付けた状態で送信され、サーバ装置１に受信される。
【００４８】
サーバ装置１では、受信したＩＤおよびパスワードが正当なもので、当該会員の属性情報が販売者のものであることを会員データベース９のデータに照らして認証した後に、当該アイデア情報に関するマッチング案件データを生成し、マッチング案件データベース１０に格納する。
【００４９】
このマッチング案件データとしては、交渉が開始されたアイデア情報、当該アイデア情報を入力したアイデア保有者に関する会員情報、交渉を開始した販売者に関する販売者情報を含む。また、交渉の開始によって交渉番号を割り当て、この交渉番号もマッチング案件データとして格納される。さらに、この後、第２マッチング処理、第３マッチング処理が行われたときに、交渉に加わった資金提供者に関する会員情報、製造者に関する会員情報も順次マッチング案件データとして追加される。
【００５０】
一方、受信したＩＤおよびパスワードに対応した会員の属性情報が販売者以外のものであった場合は、マッチング案件データを生成せず、「現在販売者以外は交渉を開始できません」というエラーメッセージ画面を端末装置に送信して表示させる。これにより、第１マッチング処理では、アイデア情報に対して最初に交渉を開始して事業提携のマッチングが可能となるのを販売者に限定している。
【００５１】
マッチング案件データが生成され、交渉番号が割り当てられると、サーバ装置１は、当該アイデア情報に関する販売者の事業提携交渉が開始された旨と割り当てられた交渉番号とを含む電子メールデータを生成し、当該マッチング案件に係るアイデア保有者端末２および販売者端末３に対して送信する。この電子メールの送信により、アイデア保有者は、自身のアイデア情報に対して販売者の事業提携申し込みがあったことがわかるようになっている。
【００５２】
図６は、マッチング案件データが生成された後に、アイデア保有者端末２および販売者端末３に表示される交渉開始画面である。
【００５３】
アイデア保有者端末２または販売者端末３をサーバ装置１に接続し、会員認証後にアイデア保有者端末２または販売者端末３に表示される初期メニュー画面において、交渉開始画面へのリンクをクリックすることにより、上記交渉開始画面が表示される。
【００５４】
上記交渉開始画面には、マッチング案件データが生成されたときに割り当てられた交渉番号を入力する交渉番号入力欄１４、ＩＤ入力欄１６、パスワード入力欄１７、送信ボタン３０が表示されている。上記交渉番号入力欄１４、ＩＤ入力欄１６、パスワード入力欄１７にそれぞれ交渉番号、ＩＤ、パスワードを入力して送信ボタン３０をクリックすることにより、上記各情報がサーバ装置１に送信され、送信された交渉番号に対応するマッチング案件データがマッチング案件データベース１０から抽出されて交渉画面のテンプレートに嵌め込まれ、各端末装置に出力される。
【００５５】
図７は、上記交渉開始画面により交渉番号、ＩＤ、パスワードを送信したときにアイデア保有者端末２および販売者端末３に表示される交渉画面である。
【００５６】
この交渉画面では、掲示板機能により、質問やそれに対する回答の入力と、入力された質問や回答の閲覧とが可能になっている。質問や回答は複数回行うことができ、事業提携交渉の当事者であるアイデア保有者と販売者が納得いくまで質問と回答を繰り返すことにより交渉を行い得るようになっている。
【００５７】
上記交渉画面は、既に入力された質問の内容や質問者に関する質問情報３３、既に入力された回答の内容や回答者に関する回答情報３４が閲覧可能なように表示されている。この例では、質問情報３３と回答情報３４がそれぞれ１つずつ表示された状態を示しているが、質問や回答が複数入力されれば、それらはすべて時系列で表示される。
【００５８】
また、上記質問情報３３と回答情報３４の下には、質問の入力か回答の入力かを選択する選択ボタン３６と、質問または回答を入力する情報入力欄３５と、送信ボタン３０が表示されている。質問を入力するときは「Ｑ」の選択ボタン３６をクリックして情報入力欄３５に質問文を入力し、回答を入力するときは「Ａ」の選択ボタン３６をクリックして情報入力欄３５に回答文を入力する。そして、上記情報入力欄に質問もしくは回答を入力して送信ボタン３０をクリックすることにより、アイデア保有者端末２または販売者端末３から質問もしくは回答がサーバ装置１に送信され、交渉画面に追加表示される。
【００５９】
また、上記交渉画面には、アイデア保有者のＩＤ入力欄１６、パスワード入力欄１７および提携決定ボタン３１が表示されるとともに、販売者のＩＤ入力欄１６、パスワード入力欄１７および提携決定ボタン３１が表示されている。これらは、第１マッチング処理における事業提携の交渉の当事者であるアイデア保有者と販売者の提携決定の意思表示を受け付ける決定受付手段として機能する。
【００６０】
上記質問と回答のやりとりにより、事業提携を決定したときに、アイデア保有者および販売者は、ＩＤ入力欄１６、パスワード入力欄１７にＩＤおよびパスワードを入力して提携決定ボタン３１をクリックすることにより、提携の意思表示を入力し、サーバ装置１に送信されるようになっている。サーバ装置１では、ＩＤとパスワードおよび提携決定ボタン３１をクリックした情報を受信すると、交渉画面を更新する。
【００６１】
図８は、アイデア保有者が、アイデア保有者のＩＤ入力欄１６、パスワード入力欄１７にＩＤおよびパスワードを入力して提携決定ボタン３１をクリックした後の交渉画面を示す。このように、アイデア保有者は既に提携の意思表示として、ＩＤおよびパスワードを入力して提携決定ボタンをクリックしているので、この画面では、アイデア保有者のＩＤ入力欄１６、パスワード入力欄１７および提携決定ボタン３１に換えて「アイデア保有者は提携を承認しました」と表示される。
【００６２】
この状態では、アイデア保有者は提携を承認した後なので、アイデア保有者端末２からの質問の入力および送信は制限され、サーバ装置１では、回答の入力および送信のみ受け付けるようになっている。
【００６３】
そして、販売者の提携の承認を待つ状態となり、販売者が、ＩＤ入力欄１６、パスワード入力欄１７にＩＤおよびパスワードを入力して提携決定ボタン３１をクリックして提携の意思表示に係る情報を送信すると、アイデア保有者と販売者の事業提携が決定し、サーバ装置１では、第１提携決定情報を生成してマッチング案件データとしてマッチング案件データベース１０に格納する。第１提携決定情報は、例えば、当該マッチング案件に関してアイデア保有者と販売者の提携が決定した旨を示すフラグ等を用いることができる。
【００６４】
このように、第１マッチング処理では、アイデア保有者端末２と販売者端末３双方からの提携の意思表示に係る情報を受信してから第１提携決定情報を生成するため、交渉の当事者であるアイデア保有者と販売者の双方の事業提携の意思を確認することができる。
【００６５】
この第１提携決定情報の格納により、第１マッチング処理は終了し、第２マッチング処理が開始される。
【００６６】
この第２マッチング処理は、上記第１マッチング処理が行われたアイデア情報を、資金提供者端末４において閲覧可能とし（Ｓ７）、サーバ装置１を介したアイデア保有者端末２、販売者端末３、資金提供者端末４の通信によりアイデア保有者、商品販売者および資金提供者の交渉を可能とし（Ｓ８）、上記アイデア保有者と商品販売者と資金提供者のマッチングを行う。
【００６７】
具体的には、上記第２マッチング処理は、サーバ装置１を介したアイデア保有者端末２、販売者端末３、資金提供者端末４の通信によるアイデア保有者と商品販売者と資金提供者との交渉の結果、３者の事業提携が決定したときに、アイデア保有者端末２、販売者端末３、資金提供者端末４の少なくともいずれかから当該決定に関する第２提携決定情報を受信して、マッチング案件データとして当該事業提携に係るアイデア情報と関連付けて格納する処理を行う（Ｓ９）。以下詳しく説明する。
【００６８】
すなわち、資金提供者端末４をサーバ装置１に接続し、会員認証後に資金提供者端末４に表示される初期メニュー画面において、アイデア情報閲覧画面へのリンクにマウスポインタを合わせてクリックすることにより、閲覧画面が表示される。
【００６９】
図９は、第２マッチング処理で端末装置に表示される閲覧画面である。
【００７０】
この閲覧画面は、基本的には図４の閲覧画面と同様であるが、この段階では、アイデア保有者と販売者の業務提携が決定しているため、「アイデア保有者と販売者の提携が決定しています」という提携承認情報２７が表示され、アイデア保有者情報２４の下に販売者に関する販売者情報２５が表示されている。
【００７１】
また、この段階では、資金提供者のみが業務提携の交渉を行え、製造者は交渉できないようになっており、交渉するボタン２８の横には「資金提供者のみ交渉できます」と表示されている。なお、この段階でも、アイデア保有者端末２、販売者端末３や製造者端末５によるアイデア情報の閲覧が制限されるわけではなく、アイデア保有者端末２、販売者端末３や製造者端末５をサーバ装置１に接続することにより、上記閲覧画面が端末装置に表示される。このようにすることにより、製造者も早い段階からアイデア情報を閲覧して業務提携の検討を行うことができる。
【００７２】
そして、資金提供者端末４に表示された上記閲覧画面において、交渉するボタン２８にマウスポインタを合わせてクリックすることにより、交渉申し込み画面が表示される。
【００７３】
図１０は、上記交渉するボタン２８のクリックにより資金提供者端末４に表示される交渉申し込み画面である。
【００７４】
この交渉申し込み画面は、図５に示す画面と基本的に同様であるが、アイデアのタイトル２１、アイデア保有者情報２４が表示され、さらに、販売者情報２５が表示されている。資金提供者が資金提供者端末４上で、アイデアのタイトル２１、アイデア保有者情報２４、販売者情報２５の表示を確認し、ＩＤ入力欄１６、パスワード入力欄１６にそれぞれＩＤとパスワードを入力して申し込みボタン２９をクリックすることにより、上記入力されたＩＤ、パスワードが当該アイデア情報と関連付けた状態で送信され、サーバ装置１に受信される。
【００７５】
サーバ装置１では、受信したＩＤおよびパスワードが正当なもので、当該会員の属性情報が資金提供者のものであることを会員データベース９のデータに照らして認証した後に、マッチング案件データベース１０の当該アイデア情報に関するマッチング案件データに交渉に加わった資金提供者に関する会員情報を追加し格納する。
【００７６】
一方、受信したＩＤおよびパスワードに対応した会員の属性情報が資金提供者以外のものであった場合は、マッチング案件データを生成せず、「現在資金提供者以外は交渉を開始できません」というエラーメッセージ画面を端末装置に送信して表示させる。これにより、第２マッチング処理では、アイデア情報に対して交渉を開始して事業提携のマッチングが可能となるのを資金提供者に限定している。
【００７７】
資金提供者に関する会員情報が追加されると、サーバ装置１は、当該アイデア情報に関する資金提供者の事業提携交渉が開始された旨と割り当てられた交渉番号とを含む電子メールデータを生成し、当該マッチング案件に係るアイデア保有者端末２および販売者端末３、資金提供者端末４に対してそれぞれ送信する。この電子メールの送信により、アイデア保有者および販売者は、自身のマッチング案件に対して資金提供者の事業提携申し込みがあったことがわかるようになっている。
【００７８】
図１１は、資金提供者に関する会員情報が追加された後に、アイデア保有者端末２、販売者端末３、資金提供者端末４に表示される交渉画面である。
【００７９】
この交渉画面は、基本的には図７の交渉画面と同様であり、第１マッチング処理の交渉段階で入力された質問や回答はそのまま表示され、アイデア保有者端末２または販売者端末３、資金提供者端末４からの質問やそれに対する回答の入力と、入力された質問や回答の閲覧とが可能になっている。
【００８０】
また、上記交渉画面には、アイデア保有者と、販売者と、資金提供者それぞれのＩＤ入力欄１６、パスワード入力欄１７および提携決定ボタン３１が表示されている。これらは、第２マッチング処理における事業提携の交渉の当事者であるアイデア保有者、販売者および資金提供者の提携決定の意思表示を受け付ける決定受付手段として機能する。
【００８１】
上記質問と回答のやりとりにより、事業提携を決定したときに、アイデア保有者、販売者および資金提供者は、ＩＤ入力欄１６、パスワード入力欄１７にＩＤおよびパスワードを入力して提携決定ボタン３１をクリックすることにより、提携の意思表示を入力し、サーバ装置１に送信されるようになっている。サーバ装置１では、ＩＤとパスワードおよび提携決定ボタン３１をクリックした情報を受信すると、交渉画面を更新する。
【００８２】
図１２は、アイデア保有者と資金提供者が、アイデア保有者のＩＤ入力欄１６、パスワード入力欄１７にＩＤおよびパスワードを入力して提携決定ボタン３１をクリックした後の交渉画面を示す。このように、アイデア保有者および資金提供者は既に提携の意思表示として、ＩＤおよびパスワードを入力して提携決定ボタンをクリックしているので、この画面では、アイデア保有者および資金提供者のＩＤ入力欄１６、パスワード入力欄１７および提携決定ボタン３１に換えて「アイデア保有者は提携を承認しました」「資金提供者は提携を承認しました」と表示される。
【００８３】
この状態では、アイデア保有者および資金提供者は提携を承認した後なので、アイデア保有者端末２および資金提供者端末４からの質問の入力および送信は制限され、サーバ装置１では、回答の入力および送信のみ受け付けるようになっている。
【００８４】
そして、販売者の提携の承認を待つ状態となり、販売者が、ＩＤ入力欄１６、パスワード入力欄１７にＩＤおよびパスワードを入力して提携決定ボタン３１をクリックして提携の意思表示に係る情報を送信すると、アイデア保有者、販売者、資金提供者の３社の事業提携が決定し、サーバ装置１では、第２提携決定情報を生成してマッチング案件データとしてマッチング案件データベース１０に格納する。第２提携決定情報は、例えば、当該マッチング案件に関してアイデア保有者、販売者および資金提供者の提携が決定した旨を示すフラグ等を用いることができる。
【００８５】
このように、第２マッチング処理では、アイデア保有者端末２、販売者端末３、資金提供者端末４からの提携の意思表示に係る情報を受信してから第２提携決定情報を生成するため、交渉の当事者であるアイデア保有者、販売者、資金提供者全員の事業提携の意思を確認することができる。
【００８６】
この第２提携決定情報の格納により、第２マッチング処理は終了し、第３マッチング処理が開始される。
【００８７】
この第３マッチング処理は、上記第２マッチング処理が行われたアイデア情報を、製造者端末５において閲覧可能とし（Ｓ１０）、サーバ装置１を介したアイデア保有者端末２、販売者端末３、資金提供者端末４、製造者端末５の通信により、アイデア保有者と商品販売者と資金提供者と商品製造者の交渉を可能とし（Ｓ１１）、上記アイデア保有者と商品販売者と資金提供者と商品製造者とのマッチングを行う。
【００８８】
具体的には、上記第３マッチング処理は、サーバ装置１を介したアイデア保有者端末２、販売者端末３、資金提供者端末４、製造者端末５の通信によるアイデア保有者と商品販売者と資金提供者と商品製造者の交渉の結果、４者の事業提携が決定したときに、アイデア保有者端末２、販売者端末３、資金提供者端末４、製造者端末５の少なくともいずれかから当該決定に関する第３提携決定情報を受信して、マッチング案件データとして当該事業提携に係るアイデア情報と関連付けて格納する処理を行う（Ｓ１２）。以下詳しく説明する。
【００８９】
すなわち、製造者端末５をサーバ装置１に接続し、会員認証後に製造者端末５に表示される初期メニュー画面において、アイデア情報閲覧画面へのリンクにマウスポインタを合わせてクリックすることにより、閲覧画面が表示される。
【００９０】
図１３は、第３マッチング処理で端末装置に表示される閲覧画面である。
【００９１】
この閲覧画面は、基本的には図９の閲覧画面と同様であるが、この段階では、アイデア保有者、販売者および資金提供者の業務提携が決定しているため、「アイデア保有者、販売者および資金提供者の提携が決定しています」という提携承認情報２７が表示され、アイデア保有者情報２４、販売者情報２５に並んで資金提供者に関する資金提供者情報２６が表示されている。
【００９２】
また、この段階では、製造者のみが業務提携の交渉を行えるようになっており、交渉するボタン２８の横には「製造者のみ交渉できます」と表示されている。なお、この段階でも、アイデア保有者端末２、販売者端末３、資金提供者端末４によるアイデア情報の閲覧が制限されるわけではなく、アイデア保有者端末２、販売者端末３、資金提供者端末４をサーバ装置１に接続することにより、上記閲覧画面が端末装置に表示される。
【００９３】
そして、製造者端末５に表示された上記閲覧画面において、交渉するボタン２８にマウスポインタを合わせてクリックすることにより、交渉申し込み画面が表示される。
【００９４】
図１４は、上記交渉するボタン２８のクリックにより製造者端末５に表示される交渉申し込み画面である。
【００９５】
この交渉申し込み画面は、図１０に示す画面と基本的に同様であるが、アイデアのタイトル２１、アイデア保有者情報２４、販売者情報２５が表示され、さらに、資金提供者情報２６が表示されている。製造者が製造者端末５上で、アイデアのタイトル２１、アイデア保有者情報２４、販売者情報２５、資金提供者情報２６の表示を確認し、ＩＤ入力欄１６、パスワード入力欄１７にそれぞれＩＤとパスワードを入力して申し込みボタン２９をクリックすることにより、上記入力されたＩＤ、パスワードが当該アイデア情報と関連付けた状態で送信され、サーバ装置１に受信される。
【００９６】
サーバ装置１では、受信したＩＤおよびパスワードが正当なもので、当該会員の属性情報が製造者のものであることを会員データベース９のデータに照らして認証した後に、マッチング案件データベース１０の当該アイデア情報に関するマッチング案件データに交渉に加わった製造者に関する会員情報を追加し格納する。
【００９７】
一方、受信したＩＤおよびパスワードに対応した会員の属性情報が製造者以外のものであった場合は、マッチング案件データを生成せず、「現在製造者以外は交渉を開始できません」というエラーメッセージ画面を端末装置に送信して表示させる。これにより、第３マッチング処理では、アイデア情報に対して交渉を開始して事業提携のマッチングが可能となるのを製造者に限定している。
【００９８】
製造者に関する会員情報が追加されると、サーバ装置１は、当該アイデア情報に関する製造者の事業提携交渉が開始された旨と割り当てられた交渉番号とを含む電子メールデータを生成し、当該マッチング案件に係るアイデア保有者端末２、販売者端末３、資金提供者端末４、製造者端末５に対してそれぞれ送信する。この電子メールの送信により、アイデア保有者、販売者および資金提供者は、自身のマッチング案件に対して製造者の事業提携申し込みがあったことがわかるようになっている。
【００９９】
図１５は、製造者に関する会員情報が追加された後に、アイデア保有者端末２、販売者端末３、資金提供者端末４、製造者端末５に表示される交渉画面である。
【０１００】
この交渉画面は、基本的には図１１の交渉画面と同様であり、第１マッチング処理および第２マッチング処理の交渉段階で入力された質問や回答はそのまま表示され、アイデア保有者端末２、販売者端末３、資金提供者端末４、製造者端末５からの質問やそれに対する回答の入力と、入力された質問や回答の閲覧とが可能になっている。
【０１０１】
また、上記交渉画面には、アイデア保有者と、販売者と、資金提供者、製造者それぞれのＩＤ入力欄１６、パスワード入力欄１７および提携決定ボタン３１が表示されている。これらは、第３マッチング処理における事業提携の交渉の当事者であるアイデア保有者、販売者、資金提供者および製造者の提携決定の意思表示を受け付ける決定受付手段として機能する。
【０１０２】
上記質問と回答のやりとりにより、事業提携を決定したときに、アイデア保有者、販売者、資金提供者および製造者は、ＩＤ入力欄１６、パスワード入力欄１７にＩＤおよびパスワードを入力して提携決定ボタン３１をクリックすることにより、提携の意思表示を入力し、サーバ装置１に送信されるようになっている。サーバ装置１では、ＩＤとパスワードおよび提携決定ボタン３１をクリックした情報を受信すると、交渉画面を更新する。
【０１０３】
図１６は、アイデア保有者と資金提供者が、アイデア保有者のＩＤ入力欄１６、パスワード入力欄１７にＩＤおよびパスワードを入力して提携決定ボタン３１をクリックした後の交渉画面を示す。このように、アイデア保有者および資金提供者は既に提携の意思表示として、ＩＤおよびパスワードを入力して提携決定ボタンをクリックしているので、この画面では、アイデア保有者および資金提供者のＩＤ入力欄１６、パスワード入力欄１７および提携決定ボタン３１に換えて「アイデア保有者は提携を承認しました」「資金提供者は提携を承認しました」と表示される。
【０１０４】
この状態では、アイデア保有者および資金提供者は提携を承認した後なので、アイデア保有者端末２および資金提供者端末４からの質問の入力および送信は制限され、サーバ装置１では、回答の入力および送信のみ受け付けるようになっている。
【０１０５】
そして、販売者および製造者の提携の承認を待つ状態となり、販売者および製造者が、ＩＤ入力欄１６、パスワード入力欄１７にＩＤおよびパスワードを入力して提携決定ボタン３１をクリックして提携の意思表示に係る情報を送信すると、アイデア保有者、販売者、資金提供者、製造者の４社の事業提携が決定し、サーバ装置１では、第３提携決定情報を生成してマッチング案件データとしてマッチング案件データベース１０に格納する。第３提携決定情報は、例えば、当該マッチング案件に関してアイデア保有者、販売者、資金提供者および製造者の提携が決定した旨を示すフラグ等を用いることができる。
【０１０６】
このように、第３マッチング処理では、アイデア保有者端末２、販売者端末３、資金提供者端末４、製造者端末５からの提携の意思表示に係る情報を受信してから第２提携決定情報を生成するため、交渉の当事者であるアイデア保有者、販売者、資金提供者、製造者全員の事業提携の意思を確認することができる。
【０１０７】
以上のように、本発明によれば、まず、上記アイデア情報データベースのアイデア情報を、商品販売者の販売者端末３において閲覧可能とすることにより、アイデア保有者と商品販売者との交渉を促し、上記アイデア保有者と商品販売者とのマッチングを行う第１マッチング処理を行う。この第１のマッチングにより、アイデア保有者と、当該アイデアが商品化されたときの商品の販売者との事業提携が決定する。すなわち、資金提供者や製造者に先立って、まず商品の販売力と販売意欲のある販売者を決定することにより、商品化したときに商品が売れなくて困るという事態を避けることができ、事業化をスムーズに行うことができる。
【０１０８】
ついで、上記第１マッチング処理が行われたアイデア情報を、資金提供者の資金提供者端末４において閲覧可能とすることにより、アイデア保有者と商品販売者と資金提供者との交渉を促し、上記アイデア保有者と商品販売者と資金提供者のマッチングを行う第２マッチング処理を行う。この第２のマッチングにより、上記アイデア保有者および販売者に加え、資金提供者との事業提携が決定する。すなわち、製造者に先立って、まず商品の製造や宣伝に必要な資金を提供しその意欲のある資金提供者を決定することにより、商品化および事業化をスムーズにする。
【０１０９】
つぎに、上記第２マッチング処理が行われたアイデア情報を、商品製造者の製造者端末５において閲覧可能とすることにより、アイデア保有者と商品販売者と資金提供者と商品製造者の交渉を促し、上記アイデア保有者と商品販売者と資金提供者と商品製造者とのマッチングを行う第３マッチング処理を行う。この第３のマッチングにより、上記アイデア保有者、販売者および資金提供者に加え、製造者との事業提携が決定する。すなわち、販売者、資金提供者が決まり、事業化の目処がある程度たってから製造者との事業提携を行い、コストメリットのある量産を行う。これにより、コストの見合う商品を製造し、商品化と事業化をスムーズに実現することができるのである。
【０１１０】
このようにして商品化および事業化をスムーズに行うことにより、アイデア保有者には、販売者と資金提供者のマッチングを創出して、さらに製造者とのマッチングを行い、新規商材の証券化も可能となる。
【０１１１】
なお、上記実施例では、事業提携の当事者であるアイデア保有者端末２、販売者端末３、資金提供者端末４、製造者端末５がサーバ装置１を介した通信において、掲示板機能により交渉を行うようにしたが、これに限定するものではなく、電子メールで個々の交渉を行わしめるようにしてもよい。
【図面の簡単な説明】
【０１１２】
【図１】本発明の一実施の形態の事業化支援システムを含むネットワーク構成を示す図である。
【図２】本発明の事業化支援方法の処理を示すフローチャートである。
【図３】アイデア情報入力画面の一例を示す図である。
【図４】第１マッチング処理での閲覧画面の一例を示す図である。
【図５】第１マッチング処理での交渉申し込み画面の一例を示す図である。
【図６】第１マッチング処理での交渉開始画面の一例を示す図である。
【図７】第１マッチング処理での交渉画面の一例を示す図である。
【図８】第１マッチング処理での交渉画面の一例を示す図である。
【図９】第２マッチング処理での閲覧画面の一例を示す図である。
【図１０】第２マッチング処理での交渉申し込み画面の一例を示す図である。
【図１１】第２マッチング処理での交渉画面の一例を示す図である。
【図１２】第２マッチング処理での交渉画面の一例を示す図である。
【図１３】第３マッチング処理での閲覧画面の一例を示す図である。
【図１４】第３マッチング処理での交渉申し込み画面の一例を示す図である。
【図１５】第３マッチング処理での交渉画面の一例を示す図である。
【図１６】第３マッチング処理での交渉画面の一例を示す図である。
【符号の説明】
【０１１３】
１      サーバ装置
２      アイデア保有者端末
３      販売者端末
４      資金提供者端末
５      製造者端末
６      中央処理装置
７      外部記憶装置
８      アイデア情報データベース
９      会員データベース
１０      マッチング案件データベース
１１      インターネット
１４      交渉番号入力欄
１５      氏名入力欄
１６      ＩＤ入力欄
１７      パスワード入力欄
１８      タイトル入力欄
１９      詳細情報入力欄
２０      画像入力欄
２１      タイトル
２２      詳細情報
２３      画像
２４      アイデア保有者情報
２５      販売者情報
２６      資金提供者情報
２７      提携承認情報
２８      交渉するボタン
２９      申し込みボタン
３０      送信ボタン
３１      提携決定ボタン
３３      質問情報
３４      回答情報
３５      情報入力欄
３６      選択ボタン
【図１】
2006277494.tif 000003
【図２】
2006277494.tif 000004
【図３】
2006277494.tif 000005
【図４】
2006277494.tif 000006
【図５】
2006277494.tif 000007
【図６】
2006277494.tif 000008
【図７】
2006277494.tif 000009
【図８】
2006277494.tif 000010
【図９】
2006277494.tif 000011
【図１０】
2006277494.tif 000012
【図１１】
2006277494.tif 000013
【図１２】
2006277494.tif 000014
【図１３】
2006277494.tif 000015
【図１４】
2006277494.tif 000016
【図１５】
2006277494.tif 000017
【図１６】
2006277494.tif 000018